(57)【要約】  【課題】  発明は、通信を行うことで自機器と通信相手との位置関係を認識し、その位置関係を示す情報を出力する無線通信装置を提供することを目的とする。  【解決手段】  携帯型端末装置１００は、自機器と通信可能な範囲にある固定型無線通信装置１０１から、その固定型無線通信装置１０１が載置されている建物１０２に関する情報を取得することができる。このとき、携帯型端末装置１００から送信する情報要求信号によって、情報を取得する施設の種類を特定することで、固定型無線通信装置１０１側で通信の要否を確認するため、必要となる情報のみを携帯型端末装置１００で取得することができる。【選択図】      図１
2007243517.tif 000002
【特許請求の範囲】
【請求項１】
無線信号を送信する無線送信部と、無線信号を受信する無線受信部と、を備え、固定設置された固定型無線通信装置と通信を行う無線通信装置において、
自機器と通信可能な前記固定型無線通信装置から送信される無線信号を前記無線受信部で受信したときに、当該無線信号より前記固定型無線通信装置の位置情報を取得する位置情報処理部と、
位置関係を示すための地図画像となる地図情報を記録する地図情報記録部と、
前記地図情報記録部の前記地図情報と、前記位置情報処理部で取得した前記固定型無線通信装置の位置情報とに基づいて、自機器と通信を行った前記固定型無線通信装置の位置を示す地図画像を生成する地図作成部と、
前記地図作成部で作成された地図画像を表示させる表示部と、
を備えることを特徴とする無線通信装置。
【請求項２】
前記無線送信部において、前記固定型無線通信装置に対して情報を要求する無線信号となる情報要求信号を生成して送信し、
前記無線受信部において、前記情報要求信号を受信した前記固定型無線通信装置より位置情報を含む無線信号として送信される応答信号を受信して、
自機器の通信可能範囲内にある前記固定型無線通信装置の位置情報を前記位置情報処理部で取得することを特徴とする請求項１に記載の無線通信装置。
【請求項３】
前記情報要求信号が、前記固定型無線通信装置が設置された建物の種類を特定する情報を含み、
前記無線受信部において、特定された種類の建物に設置された前記固定型無線通信装置からのみ前記応答信号を受信することを特徴とする請求項２に記載の無線通信装置。
【請求項４】
自機器の現在位置を示す現在位置情報を取得する現在位置検出部を備え、
前記地図作成部において、前記現在位置検出部で取得した前記現在位置情報に基づいて、自機器の現在位置を示す表示を追加した地図画像を形成することを特徴とする請求項１〜請求項３のいずれかに記載の無線通信装置。
【請求項５】
前記現在位置検出部で取得された前記現在位置情報と、前記位置情報処理部で取得された前記固定型無線通信装置の前記位置情報とが与えられ、当該現在位置情報と位置情報とに基づいて、自機器と前記固定型無線通信装置との距離を求める距離判定部を備えることを特徴とする請求項４に記載の無線通信装置。
【請求項６】
自機器と通信可能な固定された固定型無線通信装置から送信される無線信号を前記無線受信部で受信したときに、当該無線信号より前記固定型無線通信装置に関する位置情報以外の付属情報を取得する付属情報処理部を備え、
前記付属情報処理部で取得した前記付属情報を前記表示部に表示することを特徴とする請求項１〜請求項５のいずれかに記載の無線通信装置。
【請求項７】
前記表示部において、前記付属情報が前記地図画像上に表示されることを特徴とする請求項６に記載の無線通信装置。
【請求項８】
前記無線受信部で自機器と通信を行った前記固定型無線通信装置からの無線信号より取得される情報が前記表示部に表示される際、前記表示部において情報がテキスト表示されることを特徴とする請求項１〜請求項７のいずれかに記載の無線通信装置。
【請求項９】
無線信号を送信する無線送信部と、無線信号を受信する無線受信部と、を備え、移動する移動型無線通信装置と通信を行う無線通信装置において、
前記移動型無線通信装置から送信される情報を要求する無線信号となる情報要求信号を前記無線受信部で受信したとき、当該情報要求信号によって自機器の情報が要求されているか否かを判定する信号判定部と、
自機器の座標位置を示す位置情報を記録する位置情報記録部と、
を備え、
前記信号判定部で自機器の情報が要求されていることを確認したとき、前記位置情報記録部で記録された前記位置情報を含む前記移動型無線通信装置に返信する応答信号を前記無線送信部で生成して送信することを特徴とする無線通信装置。
【請求項１０】
自機器が建物内に設置されるとともに、
前記情報要求信号が前記建物の種類を特定する情報を含み、
前記信号判定部で、前記情報要求信号内の前記建物の種類を特定する情報より、自機器の設置されている前記建物が特定された種類に含まれるものか否かを確認することで、自機器の情報が要求されているか否かを判定することを特徴とする請求項９に記載の無線通信装置。
【請求項１１】
前記建物の現在の状態を示す位置情報以外の情報となる付属情報を管理する付属情報管理部を備え、
該付属情報管理部より前記付属情報が前記無線送信部に与えられ、前記応答信号に前記付属情報が追加されることを特徴とする請求項１０に記載の無線通信装置。
【請求項１２】
前記信号判定部において、前記付属情報管理部より読み出した前記付属情報に基づいて、自機器が設置される前記建物が利用不可能であることを確認したとき、前記無線送信部から前記応答信号を送信する必要がないと判定することを特徴とする請求項１１に記載の無線通信装置。
【請求項１３】
請求項１〜請求項８のいずれかに記載の無線通信装置と、
該無線通信装置と通信を行う固定設置された複数の固定型無線通信装置と、
によって構成され、
前記無線通信装置が、自機器と通信可能な前記固定型無線通信装置より取得した情報に基づいた表示を行うことを特徴とする無線通信システム。
【請求項１４】
請求項９〜請求項１２のいずれかに記載の複数の無線通信装置と、
該無線通信装置と通信を行う移動型無線通信装置と、
によって構成され、
前記移動型無線通信装置が、当該移動型無線通信装置と通信可能な前記無線通信装置より取得した情報に基づいた表示を行うことを特徴とする無線通信システム。
【発明の詳細な説明】
【技術分野】
【０００１】
本発明は、無線回線を用いた移動通信による無線通信装置及び無線通信システムに関するもので、特に、位置情報を検索することが可能な無線通信装置及び無線通信システムに関する。
【背景技術】
【０００２】
近年、情報通信技術の発展により、携帯電話や無線ＬＡＮ（Local Area Network）による通信システムにおける利便性が増し、広く世間に普及されている。そして、近年では、この携帯電話やＩＥＥＥ８０２．１１などの規格による無線ＬＡＮを使用した通信システムにより、インターネットへの接続も可能となり、インターネット上の各種サイトから様々な情報を取得することができるようになっている。このような通信システムを利用することにより、携帯電話、ＰＨＳ（Personal Handy Phone）、ＰＤＡ（Personal Digital Assistants）などの携帯型端末装置を使用して、外出先でも簡単に、所望の情報をインターネットなどのネットワークから取得することができる。
【０００３】
この携帯型端末装置を含む無線通信装置において、その機能が多様化しており、複数の機能を備えたものも提供されている。そして、このように追加された機能の１つとして、例えば、カーナビゲーションシステムでも利用されているＧＰＳ（Global Positioning System）などにより現在位置を示す位置情報を取得する機能や、携帯型端末装置同士で直接通信を行う機能や、ホットスポットなどのアクセスポイントと通信を行う機能などが、提供されている。
【０００４】
又、携帯型端末装置において、現在位置を認識するための通信手段と、ユーザインターフェースに出力するデータを受信するための通信手段とを備え、現在位置に応じたデータを出力表示することができるようにした位置依存情報提供方式が開示されている（特許文献１参照）。この位置依存情報提供方式では、例えば、赤外線通信などにより位置情報を携帯型端末装置に送信する送信装置と、サーバと接続して携帯型端末装置の現在位置に応じたデータを送信するブリッジとが設置されている。
【特許文献１】特開平１１−２６１９５２号公報
【発明の開示】
【発明が解決しようとする課題】
【０００５】
しかしながら、特許文献１は、例えば、展示物を説明する情報など、携帯型端末装置を利用するユーザの位置に応じて決まった情報を与えるものであり、携帯型端末装置の現在位置と、携帯型端末装置と通信を行うアクセスポイントとの位置関係を確認できるものではない。又、インターネットなどを利用して、地図情報を取得できるシステムがあるが、既にインターネット上のサーバに登録された地図情報を取得するにすぎないので、建物の立て替えなどがあった場合、その都度、登録された地図情報を変更する必要があり、リアルタイムで更新することが不可能である。更に、特許文献１においても、予め決まった情報が与えられるのみで、リアルタイムで変化する情報が与えることができない。
【０００６】
このような問題を鑑みて、本発明は、通信を行うことで自機器と通信相手との位置関係を認識し、その位置関係を示す情報を出力する無線通信装置を提供することを目的とする。又、この無線通信装置を使用して位置情報の通信が行うための無線通信システムを提供することを別の目的とする。
【課題を解決するための手段】
【０００７】
上記目的を達成するために、本発明の無線通信装置は、無線信号を送信する無線送信部と、無線信号を受信する無線受信部と、を備え、固定設置された固定型無線通信装置と通信を行う無線通信装置において、自機器と通信可能な前記固定型無線通信装置から送信される無線信号を前記無線受信部で受信したときに、当該無線信号より前記固定型無線通信装置の位置情報を取得する位置情報処理部と、位置関係を示すための地図画像となる地図情報を記録する地図情報記録部と、前記地図情報記録部の前記地図情報と、前記位置情報処理部で取得した前記固定型無線通信装置の位置情報とに基づいて、自機器と通信を行った前記固定型無線通信装置の位置を示す地図画像を生成する地図作成部と、前記地図作成部で作成された地図画像を表示させる表示部と、を備えることを特徴とする。
【０００８】
このような無線通信装置が、前記無線送信部において、前記固定型無線通信装置に対して情報を要求する無線信号となる情報要求信号を生成して送信し、前記無線受信部において、前記情報要求信号を受信した前記固定型無線通信装置より位置情報を含む無線信号として送信される応答信号を受信して、自機器の通信可能範囲内にある前記固定型無線通信装置の位置情報を前記位置情報処理部で取得する。
【０００９】
このとき、前記情報要求信号が、前記固定型無線通信装置が設置された建物の種類を特定する情報を含み、前記無線受信部において、特定された種類の建物に設置された前記固定型無線通信装置からのみ前記応答信号を受信する。尚、建物の種類を特定しないことを示す情報が前記情報要求信号に含まれるようにして、建物の種類に関係なく、自機器と通信可能な前記固定型無線通信装置からの前記応答信号を受信するようにしても構わない。
【００１０】
又、自機器の現在位置を示す現在位置情報を取得する現在位置検出部を備え、前記地図作成部において、前記現在位置検出部で取得した前記現在位置情報に基づいて、自機器の現在位置を示す表示を追加した地図画像を形成するものとしても構わない。このとき、建物の種類を特定しないことを示す情報が前記情報要求信号に含まれるようにして、建物の種類に関係なく、自機器と通信可能な前記固定型無線通信装置からの前記応答信号を受信するようにし、自機器周辺の建物を表示するものとしても構わない。
【００１１】
更に、前記現在位置検出部での位置検出がＧＰＳシステムによるものであっても構わないし、前記現在位置検出部での位置検出が現在位置の表示が求められたときに行われるものとしても構わないし、前記現在位置検出部での位置検出が所定時間毎に行われるものとしても構わない。
【００１２】
そして、前記現在位置検出部で取得された前記現在位置情報と、前記位置情報処理部で取得された前記固定型無線通信装置の前記位置情報とが与えられ、当該現在位置情報と位置情報とに基づいて、自機器と前記固定型無線通信装置との距離を求める距離判定部を備えるものとしても構わない。このとき、例えば、複数の前記固定型無線通信装置からの前記応答信号から得られる情報をテキスト表示する際、前記距離判定部で得られた距離に基づいて順番に表示されるものとしても構わない。
【００１３】
又、自機器と通信可能な固定された固定型無線通信装置から送信される無線信号を前記無線受信部で受信したときに、当該無線信号より前記固定型無線通信装置に関する位置情報以外の付属情報を取得する付属情報処理部を備え、前記付属情報処理部で取得した前記付属情報を前記表示部に表示するものとしても構わない。
【００１４】
このとき、前記表示部において、前記付属情報が前記地図画像上に表示されるものとしても構わない。又、前記付属情報として、前記建物の利用可能人数、収容可能人数、待ち時間などであっても構わない。
【００１５】
上述のような無線通信装置において、前記無線受信部で自機器と通信を行った前記固定型無線通信装置からの無線信号より取得される情報が前記表示部に表示される際、前記表示部において情報がテキスト表示されるものとしても構わない。このとき、複数の前記固定型無線通信装置から前記応答信号を受信すると、テキスト表示する情報を並べて表示するものとしても構わない。
【００１６】
前記情報要求信号が、前記表示部への情報表示の切換が求められる度に送信されるものとしても構わないし、前記表示部への情報表示が求められた後、所定時間毎に送信されるものとしても構わないし、自機器の移動が確認される度に送信されるものとしても構わない。
【００１７】
又、上述の無線通信装置において、前記応答信号より取得した前記位置情報を記録するものとし、通信可能範囲にない前記固定型無線通信に関する位置情報を前記表示部に表示させることができるようにしても構わない。
【００１８】
更に、前記位置情報として、前記建物の住所情報を含むものとしても構わない。又、前記位置情報を前記建物の住所情報によって構成するものとし、前記建物の地図上の座標位置を前記住所情報から取得するものとしても構わない。更に、前記位置情報を前記地図上の座標位置によって構成するものとし、前記座標位置を用いて前記地図を参照することで前記建物の住所情報を取得するものとしても構わない。
【００１９】
本発明の無線通信システムは、上述のいずれかの無線通信装置と、該無線通信装置と通信を行う固定設置された複数の固定型無線通信装置と、によって構成され、前記無線通信装置が、自機器と通信可能な前記固定型無線通信装置より取得した情報に基づいた表示を行うことを特徴とする。
【００２０】
このとき、上述のいずれかの無線通信装置を移動型無線通信装置とする。
【００２１】
又、本発明の無線通信装置は、無線信号を送信する無線送信部と、無線信号を受信する無線受信部と、を備え、移動する移動型無線通信装置と通信を行う無線通信装置において、前記移動型無線通信装置から送信される情報を要求する無線信号となる情報要求信号を前記無線受信部で受信したとき、当該情報要求信号によって自機器の情報が要求されているか否かを判定する信号判定部と、自機器の座標位置を示す位置情報を記録する位置情報記録部と、を備え、前記信号判定部で自機器の情報が要求されていることを確認したとき、前記位置情報記録部で記録された前記位置情報を含む前記移動型無線通信装置に返信する応答信号を前記無線送信部で生成して送信することを特徴とする。
【００２２】
このような無線通信装置において、自機器が建物内に設置されるとともに、前記情報要求信号が前記建物の種類を特定する情報を含み、前記信号判定部で、前記情報要求信号内の前記建物の種類を特定する情報より、自機器の設置されている前記建物が特定された種類に含まれるものか否かを確認することで、自機器の情報が要求されているか否かを判定するものとしても構わない。尚、建物の種類を特定しない場合、建物の種類を特定しないことを示す情報が前記情報要求信号に含まれるようにするものとしても構わない。
【００２３】
このとき、前記建物の現在の状態を示す位置情報以外の情報となる付属情報を管理する付属情報管理部を備え、該付属情報管理部より前記付属情報が前記無線送信部に与えられ、前記応答信号に前記付属情報が追加されるものとしても構わない。そして、前記信号判定部において、前記付属情報管理部より読み出した前記付属情報に基づいて、自機器が設置される前記建物が利用不可能であることを確認したとき、前記無線送信部から前記応答信号を送信する必要がないと判定するものとしても構わない。
【００２４】
本発明の無線通信システムは、上述のいずれかの無線通信装置と、該無線通信装置と通信を行う移動型無線通信装置と、によって構成され、前記移動型無線通信装置が、当該移動型無線通信装置と通信可能な前記無線通信装置より取得した情報に基づいた表示を行うことを特徴とする。
【００２５】
このとき、上述のいずれかの無線通信装置を固定型無線通信装置とする。
【発明の効果】
【００２６】
本発明によると、無線通信を行うことで位置情報の送受信が行われるため、現在所在している周辺に実際に存在する周辺情報を取得することができる。よって、移動型の無線通信装置において、自機器の現在位置の周辺情報を表示させる場合、リアルタイムで変化している情報による表示を行うことができる。又、従来のように、周辺情報を表示させるために、建物の位置情報などを追加させて変化させる必要がなく、建物に無線通信装置を設置するだけで、簡単に位置情報を含む周辺情報を追加させることができる。これにより、従来のように、情報提供側及び情報供給側いずれかのソフトウェアのアップデートを不要とすることができる。
【発明を実施するための最良の形態】
【００２７】
本発明の実施形態について、図面を参照して説明する。尚、以下の実施形態では、ＩＥＥＥ８０２．１１などの規格による無線ＬＡＮを使用した無線通信システムを例に挙げて説明するが、携帯電話やＰＨＳなどによる無線通信システムにおいても利用可能である。
【００２８】
（無線通信システムの全体構成）
まず、本実施形態の無線通信システムの全体構成について、図１を参照して説明する。図１は、本実施形態の無線通信システムの全体構成を示すブロック図である。
【００２９】
本実施形態の無線通信システムは、図１に示すように、無線ＬＡＮによる通信を行うことができるモジュールを備えた無線通信装置である携帯型端末装置１００と、携帯型端末装置１００と無線ＬＡＮによる無線通信を行う無線通信装置１０１ａ〜１０１ｄそれぞれを備えた建物１０２ａ〜１０２ｄと、携帯型端末装置１００が通信を行うことで現在位置情報を取得するＧＰＳ用の人工衛星１０３とによって構成される。尚、図１において、携帯型端末装置１００が無線ＬＡＮによる通信可能な範囲が点線で示す範囲Ａである。即ち、携帯型端末装置１００は、通信可能範囲Ａ内にある建物１０２ａ，１０２ｂに据え付けられた固定型無線通信装置１０１ａ，１０１ｂと通信可能であり、通信可能範囲Ａよりも外にある建物１０２ｃ，１０２ｄに据え付けられた固定型無線通信装置１０１ｃ，１０１ｄと通信不可能である。
【００３０】
このように構成される無線通信システムにおいて、携帯型端末装置１００は、人工衛星１０３とＧＰＳによる通信を行うことにより、自機器の現在位置を確認する。又、ユーザが現在位置周辺の店舗や病院や避難場所などの周辺情報を所望するため、携帯型端末装置１００が操作されると、固定型無線通信装置１０１ａ〜１０１ｄが受信可能な周辺情報要求信号を送信する。そして、携帯型端末装置１００の通信可能範囲Ａ内にある固定型無線通信装置１０１ａ，１０１ｂが周辺情報要求信号を受信するため、この固定型無線通信装置１０１ａ，１０１ｂと無線ＬＡＮによる通信を行う。よって、携帯型端末装置１００が固定型無線通信装置１０１ａ，１０１ｂから送信される信号を受信することで、建物１０２ａ，１０２ｂの地図上の座標位置情報を含む建物１０２ａ，１０２ｂの関連情報を取得する。
【００３１】
このようにして、携帯型端末装置１００と固定型無線通信装置１０１ａ，１０１ｂとの間で、無線ＬＡＮによる通信が行われると、携帯型端末装置１００では、建物１０２ａ，１０２ｂの位置と自機器の現在位置との関係を示す表示を行う。このとき、携帯型端末装置１００では、自機器が予め記憶して備える地図情報と座標位置情報とを組み合わせて得られた地図により表示しても構わないし、建物１０２ａ，１０２ｂの住所や連絡先と現在位置の住所とを文字により表示しても構わない。
【００３２】
この無線通信システムにおける携帯型端末装置１００及び固定型無線通信装置１０１ａ〜１０１ｄの詳細について、更に以下に説明する。
【００３３】
（携帯型端末装置）
図１の無線通信システムにおける携帯型端末装置１００の構成を、図２のブロック図に示す。図２に示す携帯型端末装置１００は、無線ＬＡＮにより固定型無線通信装置１０１（図１の固定型無線通信装置１０１ａ〜１０１ｄに相当する）と通信を行う無線ＬＡＮ用のアンテナ２００と、人工衛星１０３と通信を行うＧＰＳ用のアンテナ２０１と、ユーザにより操作されるキーボードやタッチパネルなどのデータ入力部２０２と、固定型無線通信装置１０１及び人工衛星１０３から受信した情報及びデータ入力部２０２により操作内容に応じた表示を行う表示部２０３と、を備える。
【００３４】
この携帯型端末装置１００は、データ入力部２０２の操作に応じた入力情報を確認する入力データ処理部２０４と、入力データ処理部２０４によって認識された入力情報を符号化及び変調して無線ＬＡＮ通信用の送信信号を生成する無線ＬＡＮ送信部２０５と、アンテナ２００で無線ＬＡＮ通信により受信した固定型無線通信装置１０１からの信号を復調及び復号化する無線ＬＡＮ受信部２０６と、無線ＬＡＮ受信部２０６で得られた受信データを演算処理してデータの内容を解析する情報処理部２０７と、情報処理部２０７より与えられた位置情報の内容を確認する位置情報処理部２０８と、情報処理部２０７より与えられた付属情報の内容を確認する付属情報処理部２０９と、情報処理部２０７より与えられた住所情報の内容を確認する住所情報処理部２１０と、付属情報処理部２０９で確認された内容の種類に応じた処理を行う付属情報加工部２１１と、付属情報の種類を判定するための情報判定テーブルを記録する判定基準記録部２１２と、地図画像となる画像情報及び住所情報となるテキスト情報を記録している地図情報記録部２１３と、アンテナ２０１と接続されて人工衛星１０３との通信を行うための信号処理を行うＧＰＳ用受信部２１４と、ＧＰＳ用受信部２１４で人工衛星１０３からの受信信号より得られた情報に基づいて現在位置の確認を行う現在位置検出部２１５と、位置情報処理部２０８で確認された建物１０２（図１の建物１０２ａ〜１０２ｄに相当する）の位置と現在位置検出部２１５で確認された現在位置とを地図情報記録部２１３による地図画像に適応させる地図作成部２１６と、建物１０２と現在位置との距離を確認する距離判定部２１７と、表示部２０３による表示される画像データを生成して表示部２０３に与える表示制御部２１８と、を備える。
【００３５】
このように構成される携帯型端末装置１００における、以下の各動作について説明する。即ち、（１）表示切換動作、（２）現在位置情報取得動作、（３）情報要求動作、（４）地図情報表示動作、（５）住所情報表示動作、（６）付属情報表示動作の各動作について、以下に説明する。
【００３６】
（１）表示切換動作
まず、携帯端末装置１００における表示部２０３での表示切換動作について、以下に説明する。データ入力部２０２が操作されて、表示部２０３による表示内容の切換が要求されると、データ入力部２０２の操作によって指示された内容が入力データ処理部２０４で確認される。このとき、例えば、表示部２０３による表示された項目が、ポインタをキー入力などで移動させて指示されたり、又は、タッチパネルが押圧されて指示される。このデータ入力部２０２による操作内容となる情報が入力データ処理部２０４に与えられることで、この表示項目の座標位置を示す情報が確認されて、ユーザにより指示された項目が認識される。そして、ユーザにより指示された項目に応じた画像情報が入力データ処理部２０４又は地図作成部２１６より表示制御部２１８に与えられ、表示部２０３の表示が、ユーザにより指示された項目に応じた画像表示に切り換えられる。
【００３７】
表示部２０３において、例えば、図３（ａ）に示すように、現在位置を報知する機能を動作させる「現在位置表示」と表示されるボタン３０１と、現在位置周辺の周辺情報を報知する機能を動作させる「周辺情報表示」と表示されるボタン３０２とが表示されるものとする。そして、データ入力部２０２が操作されてボタン３０１又はボタン３０２が指定されると、データ入力部２０２に記録された画像データが読み出されて、表示制御部２１８に与えられる。
【００３８】
このとき、ボタン３０１が指定された場合、例えば、表示部２０３において、図３（ｂ）に示すように、現在位置を地図表示する機能を動作させる「地図表示」と表示されるボタン３０３と、現在位置の住所をテキスト表示する機能を動作させる「テキスト表示」と表示されるボタン３０４と、図３（ａ）のメニュー表示に戻る機能を動作させる「メニュー」と表示されるボタン３０５とが表示される。
【００３９】
又、ボタン３０２が指定された場合、例えば、表示部２０３において、図３（ｃ）に示すように、現在位置周辺の公共施設を検索する機能を動作させる「公共施設」と表示されるボタン３０６と、現在位置周辺において食事可能な施設を検索する機能を動作させる「食事」と表示されるボタン３０７と、現在位置周辺の観光地を検索する機能を動作させる「観光」と表示されるボタン３０８と、現在位置周辺のスポーツ施設を検索する機能を動作させる「スポーツ」と表示されるボタン３０９と、現在位置周辺の遊技場などを検索する機能を動作させる「エンターテイメント」と表示されるボタン３１０と、現在位置周辺の店舗を検索する機能を動作させる「店舗」と表示されるボタン３１１と、図３（ａ）のメニュー表示に戻る機能を動作させる「メニュー」と表示されるボタン３１２とが表示される。
【００４０】
更に、図３（ｃ）のように表示されているとき、データ入力部２０２が操作されてボタン３０６〜３１１のいずれかが指定されると、各分野に応じた施設の種類を指定するための画像データがデータ入力部２０２より表示制御部２１８に与えられる。このとき、例えば、ボタン３０６が指定された場合、図４（ａ）のように、公共施設の種類として、「病院」、「救急病院」、「図書館」、「避難場所」、「警察」を選択するための画像データが表示制御部２１８に与えられて表示部２０３に表示される。又、例えば、ボタン３０７が指定された場合、図４（ｂ）のように、食事の種類として、「ラーメン」、「焼肉」、「うどん・そば」、「お好み焼き」、「寿司」などを選択するための画像データが表示制御部２１８に与えられて表示部２０３に表示される。
【００４１】
この図４（ａ）、（ｂ）のような表示が表示部２０３において行われるとき、各種類を表す表示部分が図３（ａ）〜（ｃ）におけるボタン３０１〜３１２と同様のボタンとして表示される。又、図４（ａ）、（ｂ）のような表示が表示部２０３において行われるときにも、図３（ａ）又は図３（ｃ）のメニュー表示に戻る機能を動作させる「メニュー」と表示されるボタンが表示され、このボタンが指定されることで、図３（ａ）又は図３（ｃ）のメニュー表示に戻ることができる。
【００４２】
そして、更に、図３（ｃ）におけるボタン３０６〜３１１のいずれかが指定されて、その指定された施設の種類が表示されたときに、その施設の種類の１つがデータ入力部２０２によって特定されると、図３（ａ）のボタン３０１が指定されたときと同様に、表示部２０３の表示が、図３（ｂ）の表示に切り替わる。このとき、ボタン３０３が指定されると、特定された施設と現在位置との関係を地図表示する機能が動作し、又、ボタン３０４が指定されると、特定された施設の住所や付属情報などをテキスト表示する機能が動作する。
【００４３】
上述のように現在位置表示又は周辺情報表示が指示されて、図３（ｂ）のような表示が表示部２０３において行われているとき、入力データ処理部２０４が、ボタン３０１が指定されて地図表示が指示されたことを認識すると、地図作成部２１６において作成された地図画像による画像データが表示制御部２１８に与えられる。このとき、地図作成部２１６において、現在位置検出部２１５で確認された携帯端末装置１００の現在位置となる座標位置と、位置情報処理部２０８で確認された建物１０２の位置を示す座標位置と、地図情報記録部２１３に記録された地図画像とによって、地図を表す画像データが生成される。
【００４４】
このように地図表示が行われるとき、現在位置表示が指示されている場合は、図５のように、携帯型端末装置１００の現在位置を示すアイコンＸと、携帯型端末装置１００と通信した固定型無線通信装置１０１を備える建物１０２を示すアイコンＹとが追加された地図画像が、表示部２０３に表示される。又、周辺情報表示が指示されている場合は、図６のように、図５の表示と同様のアイコンＸ，Ｙと、付属情報をテキスト表示したテキスト画像Ｚとが追加された地図画像が、表示部２０３に表示される。
【００４５】
そして、この図５又は図６のような地図画像が表示部２０３に表示されているとき、現在位置を示すアイコンＸや、建物１０２を示すアイコンＹに対して、データ入力部２０２によって特定の操作が成されると、現在位置や建物１０２の住所や付属情報などの表示に切り換えられる。即ち、アイコンＸに対する操作が成されると、表示部２０３において、図７（ａ）のように、現在位置の住所の表示に切り換えられ、又、アイコンＹに対する操作が成されると、表示部２０３において、図７（ｂ）のように、アイコンＹによって指定された建物１０２の住所や付属情報などの表示に切り換えられる。
【００４６】
又、図３（ｂ）のような表示が表示部２０３において行われているとき、入力データ処理部２０４が、ボタン３０２が指定されて住所表示が指示されたことを認識すると、地図作成部２１６において判定された住所又は住所情報処理部２１０で得られた住所、及び付属情報加工部２１１で取得された付属情報によるテキストデータや画像データが表示制御部２１８に与えられる。これにより、図７（ａ）のような現在位置の住所を示すテキスト画像や、図７（ｃ）のような検索された建物１０２の名称及び住所と付属情報とを含む表画像が表示部２０３に表示される。
【００４７】
そして、図７（ｃ）のような表が表示部２０３に表示されているとき、検索された建物１０２の１つをデータ入力部２０２によって指定されると、指定された建物１０２の場所を示す地図画像が地図作成部２１６で生成され、表示部２０３に、図８のような地図画像が表示される。
【００４８】
尚、このように、図７（ａ）〜（ｃ）のようにテキスト表示されているとき、データ入力部２０２の操作によって、図５又は図６などのような地図画像による表示に表示切換が行われるようにしても構わない。逆に、図５又は図６などのように地図画像が表示されているときに、データ入力部２０２の操作によって、図７（ａ）〜（ｃ）のような住所や付属情報によるテキスト表示に表示切換が行われるようにしても構わない。又、図５〜図８のような地図画像やテキスト画像による現在位置情報や周辺情報の表示が成されているとき、データ入力部２０２の操作によって、図３や図４の表示に戻るようにしても構わない。
【００４９】
そして、このようにして、表示部２０３における表示画像の切換が行われるとき、表示画像上に表示されるボタンが、データ入力部２０２をタッチパネルで構成して、このタッチパネルによって直接指定されるものとしても構わない。又、この表示画像上に表示されるボタンが、データ入力部２０２のキー操作やマウス操作などによって移動される表示部２０３内に表示されるポインタによって指定されるものとしても構わない。更に、表示部２０３に表示される各項目に番号を付して表示し、この番号に応じたキー入力をデータ入力部２０２によって行うことで、項目指定を行って、各項目に応じた表示に表示部２０３の表示が切り替わるようにしても構わない。
【００５０】
（２）現在位置情報取得動作
次に、携帯端末装置１００の現在位置情報を取得する動作について、以下に説明する。携帯端末装置１００の現在位置情報は、ＧＰＳ用受信部２１４が動作して、人工衛星１０３からの信号を受信することによって取得される。よって、以下では、このＧＰＳ用受信部２１４による動作を中心に説明する。尚、この現在位置情報取得動作については、現在位置の表示を求める指示があったときや、周辺情報の表示を求める指示があったときなどのように、データ入力部２０２により特定の操作がなされたときに行われるものとしても構わないし、所定の時間が経過する毎に行われるものとしても構わない。
【００５１】
まず、アンテナ２０１を介して、ＧＰＳ用受信部２１４によって、複数の人工衛星１０３からの送信信号を受信する。この受信した複数の人工衛星１０３からの送信信号を演算処理することで、それぞれの人工衛星１０３の位置と送信開始時刻を確認する。そして、確認された各人工衛星１０３の位置とその送信開始時刻が、現在位置検出部２１５に与えられると、各人工衛星１０３の位置とその送信開始時刻に基づいて、携帯型端末装置１００と各人工衛星１０３との相対位置が認識される。これにより、現在位置検出部２１５において、携帯型端末装置１００の現在位置情報となる座標情報が取得され、地図作成部２１６に与えられる。
【００５２】
このようにして現在位置情報が取得され、その座標情報が地図作成部２１６に与えられると、地図表示が指示されたとき、その座標情報による座標が中心となる地図画像が地図情報記録部２１３より読み出されて、地図作成部２１６に与えられる。そして、地図作成部２１６において、地図情報記録部２１３より読み出された地図画像に現在位置を示すアイコンＸを組み合わせた地図画像となる画像データが生成される。これにより、図５のような地図画像が表示部２０３に表示される。又、住所表示が指示されたとき、地図作成部２１６によって座標情報に基づく住所情報となるテキスト情報が地図情報記録部２１３より読み出されて、現在位置の住所表示を行うためのテキストデータが表示制御部２１８に与えられる。これにより、図７（ａ）のようなテキスト画像が表示部２０３に表示される。
【００５３】
（３）情報要求動作
又、携帯型端末装置１００が固定型無線通信装置１０１に対して情報を要求するための情報要求動作について、以下に説明する。上述のように、データ入力部２０２に対する操作に応じて、表示部２０３の表示切換が行われるとき、現在位置の地図表示が指示された場合や、周辺情報として表示する対象が設定された場合において、現在位置周辺の建物１０２に対する情報を取得するために、情報要求動作が行われる。
【００５４】
まず、データ入力部２０２により現在位置の地図表示が指示されたことが、入力データ処理部２０４において確認されたときの動作について説明する。即ち、表示部２０３における図３（ａ）のような表示からボタン３０１がデータ入力部２０２によって指示されて、表示部２０３の画像表示が図３（ｂ）のような表示とされた後、ボタン３０３がデータ入力部２０２によって指示される。又、図７（ａ）のような住所表示から地図表示に切り換えるように、データ入力部２０２によって指示される。このとき、施設の種類に関係なく、建物１０２に関する情報を取得する。
【００５５】
よって、入力データ処理部２０４では、施設の種類を特定しないことを示す情報を追加した情報要求信号となるデータフレームを生成して、無線ＬＡＮ送信部２０５に与える。そして、無線ＬＡＮ送信部２０５では、無線ＬＡＮの通信方式に従って、入力データ処理部２０４からの情報要求信号を符号化した後に変調して、アンテナ２００より送信する。これにより、施設の種類に関係なく、携帯型端末装置１００の通信可能範囲内に存在する固定型無線通信装置１０１を備えた建物１０２を確認することができる。
【００５６】
次に、周辺情報として表示する対象が設定されたことが、入力データ処理部２０４において確認されたときの動作について説明する。即ち、表示部２０３における図３（ｃ）のような表示からボタン３０６〜３１１のいずれかがデータ入力部２０２によって指示されて、図４（ａ）又は図４（ｂ）の表示例に代表されるように、各分野に応じた施設の種類が表示部２０３に表示された後、データ入力部２０２によって検索する施設の種類が特定される。このとき、特定された施設の種類に応じた建物１０２に関する情報を取得する。
【００５７】
よって、入力データ処理部２０４では、特定された施設の種類を示す情報を追加した情報要求信号となるデータフレームを生成して、無線ＬＡＮ送信部２０５に与える。そして現在位置の地図表示が指示されたときと同様に、無線ＬＡＮ送信部２０５では、無線ＬＡＮの通信方式に従って、入力データ処理部２０４からの情報要求信号を符号化した後に変調して、アンテナ２００より送信する。これにより、特定された施設の種類となる建物１０２に備えられた固定型無線通信装置１０１のみが受信することとなる。そのため、携帯型端末装置１００では、携帯型端末装置１００の通信可能範囲内に存在する固定型無線通信装置１０１を備えるとともに特定された施設の種類となる建物１０２を確認することができる。
【００５８】
尚、現在位置又は周辺情報の地図表示が行われている場合に、携帯型端末装置１００の現在位置が所定距離だけ移動したことが確認されると、情報要求動作を再び行うようにすることで、新たに得られた建物１０２の周辺情報を地図上に表示することができる。又、現在位置又は周辺情報の地図表示や周辺情報のテキスト表示が行われている場合に、所定時間毎に情報要求動作を行うようにすることで、表示部２０３に表示される表示内容を新しい内容に更新することができる。
【００５９】
（４）地図情報表示動作
更に、現在位置の地図表示や周辺情報の地図表示を行うときにおける、携帯型端末装置１００の地図情報表示動作について、以下に説明する。即ち、上述のように、データ入力部２０２に対する操作に応じて、表示部２０３の表示切換が行われるとき、現在位置の地図表示が指示された場合や、周辺情報として表示する対象に対する地図表示が指示された場合において、情報要求信号を送信する。そして、この情報要求信号を受信した固定型無線通信装置１０１から送信される信号を受信することにより、建物１０２に関する情報を確認し、この情報に基づいた地図情報表示動作が行われる。
【００６０】
まず、データ入力部２０２により現在位置の地図表示が指示されたことが、入力データ処理部２０４において確認されたときの動作について説明する。このとき、上述したように、施設の種類を特定しないことを示す情報を追加した情報要求信号が無線ＬＡＮ送信部２０５より送信される。そして、携帯型端末装置１００と通信可能な範囲に存在する固定型無線通信装置１０１が、この情報要求信号を受信し、建物１０２の座標位置を示す位置情報、建物１０２の状態を示す付属情報、及び、建物１０２の住所や電話番号を示す住所情報を含む応答信号を送信する。
【００６１】
各固定型無線通信装置１０１からの応答信号を無線ＬＡＮ受信部２０６で受信すると、無線ＬＡＮ受信部２０６で復調した後に復号化して、情報処理部２０７に与える。このとき、複数の固定型無線通信装置１０１と携帯型端末装置１００との間で通信が行われるが、例えば、アクセスポイントとなる固定型無線通信装置１０１の１つがコントロールポイントして動作し、携帯型端末装置１００と通信可能な複数の固定型無線通信装置１０１からの送信信号にコリジョンが発生しないように通信制御が行われる。
【００６２】
情報処理部２０７では、復号化された応答信号より、建物１０２の施設の種類を確認するとともに、各種情報の選別を行う。そして、位置情報を位置情報処理部２０８に、付属情報を付属情報処理部２０９に、住所情報を住所情報処理部２１０に、それぞれ送出する。このとき、１つの応答信号から選別される位置情報、付属情報、及び住所情報それぞれは、例えば、そのヘッダ部分に固定型無線通信装置１０１のＭＡＣアドレスやＩＰアドレスが付随されるなどして、同一の建物１０２に関する情報であることが認識可能な情報とされて、情報処理部２０７から送出される。
【００６３】
この選別された位置情報、付属情報、及び住所情報が情報処理部２０７から送出されると、位置情報が位置情報処理部２０８に、付属情報が付属情報処理部２０９に、住所情報が住所情報処理部２１０に、それぞれ格納される。そして、位置情報処理部２０８では、各固定型無線通信装置１０１からの応答信号から得られた位置情報より、各建物１０２の座標位置を確認し、確認した各建物１０２の座標位置による座標情報を地図作成部２１６に送出する。
【００６４】
地図作成部２１６では、携帯型端末装置１００と通信可能な範囲にある建物１０２の座標情報が与えられるとともに、上述した現在位置情報取得動作により現在位置検出部２１５で取得された現在位置情報となる座標情報が与えられる。そして、地図作成部２１６は、現在位置検出部２１５から与えられた座標情報による座標位置を中心とする地図画像となる画像データを地図情報記録部２１３より読み出す。
【００６５】
この地図情報記録部２１３より読み出した地図画像に対して、各座標位置に応じた位置に、現在位置となるアイコンＸ及び確認された建物１０２のアイコンＹを配置して、表示部２０３に表示する地図画像となる画像データを生成する。この画像データが表示制御部２１８に与えられることによって、図５のような現在位置を示す地図画像が表示部２０３に表示される。尚、アイコンＹは、その施設の種類に応じて異なるアイコンとされる。
【００６６】
次に、データ入力部２０２により周辺情報として表示する対象が設定されたときに、更にデータ入力部２０２で地図表示が指示されたときの動作について説明する。上述の現在位置の地図表示を行うときと異なり、対象として特定された施設の種類を示す情報を追加した情報要求信号が無線ＬＡＮ送信部２０５より送信される。そして、携帯型端末装置１００と通信可能な範囲に存在する固定型無線通信装置１０１が受信するが、この情報要求信号により特定された施設の種類を確認し、特定された施設の種類となる建物１０２に備えられた固定型無線通信装置１０１のみが応答信号を送信する。
【００６７】
よって、各固定型無線通信装置１０１からの応答信号を無線ＬＡＮ受信部２０６で受信することとなる。その後、上述の現在位置の地図表示を行うときと同様の動作を、無線ＬＡＮ受信部２０６及び情報処理部２０７が行うことで、位置情報が位置情報処理部２０８に、付属情報が付属情報処理部２０９に、住所情報が住所情報処理部２１０に、それぞれ格納される。そして、位置情報処理部２０８から特定された施設の種類となる建物１０２の座標位置による座標情報と、現在位置検出部２１５で取得された現在位置情報となる座標情報とが、地図作成部２１６に送出される。又、この地図作成部２１６は、現在位置検出部２１５から与えられた座標情報による座標位置を中心とする地図画像となる画像データを地図情報記録部２１３より読み出す。
【００６８】
このとき、周辺情報の表示が求められている場合は、現在位置表示が求められている場合と異なり、付属情報に基づく情報の表示も行われる。即ち、付属情報処理部２０９に格納されている付属情報が付属情報加工部２１１に与えられ、判定基準記録部２１２の情報判定テーブルに基づいて付属情報の種類が確認される。そして、付属情報に対して、判定された種類に応じた加工が成されて、地図作成部２１６に与えられる。この付属情報加工部２１１での動作について、以下に説明する。
【００６９】
付属情報は、建物１０２を飲食店や遊技場などとしたときの現在の利用可能人数や、建物１０２を病院やスポーツ施設や観光地などとしたときの利用可能となるまでの待ち時間や、建物１０２を避難場所や遊技場や図書館やスポーツ施設などとしたときの収容可能人数などの情報により構成される。又、判定基準記録部２１２に格納される情報判定テーブルには、各施設の種類と付属情報の種類との対応関係が記録される。
【００７０】
よって、付属情報加工部２１１では、判定基準記録部２１２内の情報判定テーブルによって、ユーザによって特定された施設の種類に対する付属情報の種類を認識し、この付属情報の種類に応じて、付属情報処理部２０９より与えられた付属情報を加工する。即ち、特定された施設の種類が飲食店や遊技場などであり、付属情報の種類が現在の利用可能人数である場合は、付属情報から得られた数値より、「○○人まで利用可能」というテキストデータを生成する。同様に、付属情報の種類が待ち時間である場合は、付属情報から得られた数値より、「待ち時間○○時間○○分」というテキストデータを生成する。又、付属情報の種類が収容可能人数である場合は、付属情報から得られた数値より、「○○人まで収容可能」というテキストデータを生成する。
【００７１】
このようにして付属情報加工部２１１で加工して得られたテキストデータには、その元となる付属情報のヘッダ情報が与えられる。よって、このテキストデータが地図作成部２１６に与えられると、そのヘッダ情報に基づいて、いずれの建物１０２に対するテキストデータであるかが確認される。これにより、与えられたテキストデータに対応する座標位置が確認され、その座標位置近傍にテキストデータに基づくテキスト画像が地図画像上に追加される。即ち、図６に示す地図画像のように、建物１０２の座標位置を示すアイコンＹ近傍に、その建物１０２に対する付属情報となるテキスト画像Ｚが表示される。このような画像データが表示制御部２１８に与えられることで、表示部２０３に付属情報が追加された図６に示すような地図画像が表示される。
【００７２】
又、図７（ｃ）のような特定された施設に関する周辺情報がテキスト表示されているときに、地図画像を表示したい建物１０２がデータ入力部２０２によって指定されると、指定された建物１０２と現在位置との関係を示す図８のような地図画像が、表示部２０３に表示される。このとき、表示制御部２１８において、指定された建物１０２に対する付属情報や住所情報によるテキストデータに対するヘッダ情報が確認され、このヘッダ情報が付属情報加工部２１１及び地図作成部２１６に与えられる。
【００７３】
その後、付属情報加工部２１１が、与えられたヘッダ情報に応じた付属情報を付属情報処理部２０９より読み出して、この付属情報に基づくテキストデータを作成して、地図作成部２１６に送出する。又、地図作成部２１６では、与えられたヘッダ情報に応じた位置情報が位置情報処理部２０８より与えられるとともに、現在位置検出部２１５で取得された現在位置情報が与えられる。そして、現在位置情報による座標位置を中心とする地図画像となる画像データを地図情報記録部２１３より読み出す。
【００７４】
これにより、地図作成部２１６では、地図情報記録部２１３より読み出した地図画像に対して、現在位置となる座標位置にアイコンＸを、選択された建物１０２の座標位置にアイコンＹを、このアイコンＹの近傍位置に付属情報となるテキスト画像Ｚを、それぞれ追加する。よって、図８に示すように、現在位置と選択された建物１０２との関係、及び、建物１０２の付属情報とが追加された地図画像が、表示部２０３に表示される。
【００７５】
このように動作することで、現在位置の表示が要求されたときは、表示部２０３において、周辺の建物１０２とともに携帯型端末装置１００の現在位置が、地図画像上に表示され、又、周辺情報の表示が要求されたときは、表示部２０３において、携帯型端末装置１００の現在位置と周辺の建物１０２だけでなく、各建物１０２の付属情報も、地図画像上に表示される。
【００７６】
（５）住所情報表示動作
又、現在位置のテキスト表示を行うときにおける、携帯型端末装置１００の住所情報表示動作について、以下に説明する。即ち、上述のように、データ入力部２０２に対する操作に応じて、表示部２０３の表示切換が行われるとき、現在位置の住所表示が指示された場合において、現在位置情報取得動作によって取得された現在位置情報に基づいて、現在位置の住所が確認される。
【００７７】
このとき、表示部２０３における図３（ａ）のような表示からボタン３０１がデータ入力部２０２によって指示されて、表示部２０３の画像表示が図３（ｂ）のような表示とされた後、ボタン３０４がデータ入力部２０２によって指示されることで、現在位置の住所表示が指示される。又、表示部２０３において、図５のように、地図表示による現在位置表示が行われているときに、データ入力部２０２で指示されることによっても、現在位置の住所表示が指示される。
【００７８】
このように現在位置の住所表示が指示されると、現在位置検出部２１５で確認された現在位置情報が地図作成部２１６に与えられる。そして、地図作成部２１６において、地図情報記録部２１３における地図情報を参照することで、現在位置情報より得られる現在地の座標に対応する住所情報が確認される。この確認した住所情報により、現在位置の住所となるテキストデータが生成されて、表示制御部２１８に与えられる。よって、このテキストデータに基づいてテキスト画像が、表示部２０３に表示されることで、図７（ａ）のように、現在位置の住所が表示される。
【００７９】
（６）付属情報表示動作
更に、周辺情報のテキスト表示を行うときにおける、建物１０２の付属情報表示動作について、以下に説明する。即ち、上述のように、データ入力部２０２に対する操作に応じて、表示部２０３の表示切換が行われるとき、周辺情報として表示する対象に対するテキスト表示が指示された場合において、情報要求信号を送信する。そして、周辺情報として表示する対象に対する付属情報及び住所情報が取得され、この付属情報及び住所情報のテキスト表示が行われる。このとき、図７（ｃ）のように、検索された複数の建物１０２の名称及び住所と付属情報とを含む表画像が表示部２０３に表示される。
【００８０】
又、現在位置の地図表示が指示された場合や、周辺情報として表示する対象に対する地図表示が指示された場合においても、同様に、情報要求信号を送信して、付属情報及び住所情報が取得されて地図表示が成される。その後、周辺情報のテキスト表示が要求されると、この地図表示が指示されたときに取得された付属情報及び住所情報に基づいて、周辺情報として表示する対象に対する付属情報及び住所情報のテキスト表示が成される。このとき、図７（ｂ）のように、指定された建物１０２の名称及び住所と付属情報とを含む表画像が表示部２０３に表示される。
【００８１】
まず、データ入力部２０２により周辺情報として表示する対象が設定されたときに、更にデータ入力部２０２でテキスト表示が指示されたときの動作について説明する。このとき、対象として特定された施設の種類を示す情報を追加した情報要求信号が無線ＬＡＮ送信部２０５より送信される。そして、携帯型端末装置１００と通信可能な範囲に存在する固定型無線通信装置１０１のうち、特定された施設の種類となる建物１０２に備えられた固定型無線通信装置１０１のみが、情報要求信号を受信することで応答信号を送信する。よって、各固定型無線通信装置１０１からの応答信号を無線ＬＡＮ受信部２０６で受信することとなる。
【００８２】
そのため、地図表示動作時と同様の動作を情報処理部２０７が行うことで、位置情報が位置情報処理部２０８に、付属情報が付属情報処理部２０９に、住所情報が住所情報処理部２１０に、それぞれ格納される。そして、付属情報加工部２１１において、判定基準記録部２１２内の情報判定テーブルによって、ユーザによって特定された施設の種類に対する付属情報の種類を認識される。この付属情報加工部２１１によって、付属情報処理部２０９より与えられた付属情報が、付属情報の種類に応じて加工され、テキストデータが生成される。
【００８３】
更に、距離判定部２１７に対して、位置情報処理部２０８に記録された建物１０２それぞれの位置情報と、現在位置検出部２１５で確認された現在位置の位置情報とが与えられる。そして、この距離判定部２１７では、携帯型端末装置１００と建物１０２それぞれとの距離が、それぞれの位置情報の座標に基づいて求められ、各建物１０２に対する距離を表すテキストデータが生成される。この各建物１０２に対する距離を表すテキストデータに対して、その建物１０２の位置情報のヘッダ情報が追加されることとなる。
【００８４】
この付属情報加工部２１１によって得られた付属情報によるテキストデータと、住所情報処理部２１０に格納された住所情報によるテキストデータと、距離判定部２１７で生成され距離情報となるテキストデータとが、表示制御部２１８に直接与えられる。表示制御部２１８では、付属情報及び住所情報及び距離情報それぞれのテキストデータに与えられるヘッダ情報に基づいて、同一の建物１０２に対する付属情報と住所情報と距離情報とを確認する。
【００８５】
これにより、特定した施設の種類となる建物１０２の内、携帯型端末装置１００と通信可能な範囲に存在する固定型無線通信装置１０１を備えた建物１０２それぞれの名称、住所、付属情報、及び、距離によるテキストが、図７（ｃ）のような表のようにして、表示部２０３に表示される。このとき、図７（ｃ）のように、距離の短いものから順番に各建物１０２の情報が表示されるようにすることで、現在位置に近い建物から順に把握しやすいような表示とすることができる。
【００８６】
次に、図５及び図６のような地図表示が表示部２０３に成されているとき、上述したように、既に、情報要求信号が送信されて、固定型無線通信装置１０１からの応答信号を受信している。よって、位置情報が位置情報処理部２０８に、付属情報が付属情報処理部２０９に、住所情報が住所情報処理部２１０に、それぞれ格納されている状態となる。このとき、データ入力部２０２によって、表示部２０３の表示される地図上におけるアイコンＹが指定されて、付属情報などのテキストを表示される建物１０２が特定される。これにより、特定された建物１０２に対する付属情報や住所情報がそれぞれ、付属情報処理部２０９及び住所情報処理部２１０より読み出される。
【００８７】
即ち、付属情報処理部２０９より、特定された建物１０２を表すヘッダ情報を備える付属情報が読み出され、又、住所情報処理部２１０より、特定された建物１０２を表すヘッダ情報を備える住所情報が読み出される。そして、付属情報となるテキストデータが付属情報加工部２１１から、住所情報となるテキストデータが住所情報処理部２１０から、それぞれ表示制御部２１８に与えられる。更に、上述と同様にして、特定された建物１０２の位置情報と現在位置の位置情報を用いて、建物１０２への距離情報となるテキストデータが、距離判定部２１７で生成される。これにより、特定された建物１０２の名称、住所、付属情報、及び距離によるテキストが、図７（ｂ）のようにして、表示部２０３に表示される。
【００８８】
このように、携帯型端末装置１００では、人工衛星１０３と通信を行うことにより、現在位置を確認し、固定型無線通信装置１０１と通信を行うことにより、周辺の建物１０２に関する情報を取得する。そして、現在位置と建物１０２との関係を地図上に表示し、又、周辺に存在する建物１０２に関する情報をテキストによって表示することができる。
【００８９】
（無線通信装置）
図１の無線通信システムにおける固定型無線通信装置１０１の構成を、図９のブロック図に示す。図９に示す固定型無線通信装置１０１は、無線ＬＡＮにより携帯型端末装置１００及び他の固定型無線通信装置１０１と通信を行う無線ＬＡＮ用のアンテナ９００と、アンテナ９００により受信した信号を復調及び復号化する無線ＬＡＮ受信部９０１と、無線ＬＡＮ受信部９０１で受信した信号の内容を確認する信号判定部９０２と、固定型無線通信装置１０１が載置されている建物１０２の付属情報が管理されている付属情報管理部９０３と、建物１０２の座標位置となる位置情報及び建物１０２の住所情報が記録されている位置情報記録部９０４と、信号判定部９０２の判定結果に基づいて応答信号となる返送データを生成する返送データ生成部９０５と、返送データ生成部９０５で生成された返送データを符号化した後に変調することで応答信号を生成しアンテナ９００を介して送信する無線ＬＡＮ送信部９０６と、を備える。
【００９０】
このように構成される固定型無線通信装置１０１における携帯型端末装置１００との通信動作について、以下に説明する。まず、複数の携帯型端末装置１００及び複数の固定型無線通信装置１０１が通信を行う場合において、信号の送受信のコリジョンを防ぐために、無線ＬＡＮの通信システムによる通信タイミングが設定される。このとき、例えば、アクセスポイントとして動作する固定型無線通信装置１０１のうちの１つがコントロールポイントとして動作するなどし、各装置の通信タイミングが設定される。
【００９１】
即ち、アクセスポイントとして動作する固定型無線通信装置１０１のうちの１つが、コントロールポイントとして設定される。そして、コントロールポイントとなる固定型無線通信装置１０１は、信号判定部９０２において、通信可能な携帯型端末装置１００と固定型無線通信装置１０１に対する送信期間の設定を行い、その設定結果を携帯型端末装置１００及び他の固定型無線通信装置１０１それぞれに送信する。このとき、コントロールポイントとならない固定型無線通信装置１０１は、信号判定部９０２において、コントロールポイントとなる固定型無線通信装置１０１によって設定される自機器の送信期間と携帯型端末装置１００の送信期間のタイミングを確認する。
【００９２】
このようにして、固定型無線通信装置１０１において、自機器の送信期間と携帯型端末装置１００の送信期間とが確認されると、まず、携帯型端末装置１００の送信期間において、携帯型端末装置１００より送信される情報要求信号の受信の有無が確認される。この情報要求信号の受信の有無を確認する動作から、応答信号を送信するまでの動作について、図１０のフローチャートを参照にして、以下に説明する。
【００９３】
まず、無線ＬＡＮ受信部９０１において、送信型端末装置１００の送信期間となったことを確認すると（ＳＴＥＰ１）、携帯型端末装置１００から情報要求信号を受信したか否かが確認される（ＳＴＥＰ２）。そして、アンテナ９００を介して情報要求信号を受信したことを無線ＬＡＮ受信部９０１で確認すると（Ｙｅｓ）、受信した情報要求信号を無線ＬＡＮ受信部９０１で復調した後、復号化して信号判定部９０２に与える。この信号判定部９０２では、情報要求信号が復号化されて得られたデータを解析することによって、自機器に対するデータ内容であるか否かを確認する（ＳＴＥＰ３）。
【００９４】
このＳＴＥＰ３における判定動作が行われるとき、信号判定部９０２において、復号化された情報要求信号のデータの内容に、自機器が設置される建物１０２に関する施設の種類を指定する内容、又は、施設の種類を特定しない内容が含まれているか否かが確認される。よって、信号判定部９０２において、復号化された情報要求信号のデータより、自機器が設置される建物１０２に関する施設の種類が指定されていること、又は、施設の種類を特定しないことを確認すると、自機器の設置された建物１０２に関する情報の取得が要求されていると判断する。
【００９５】
そして、ＳＴＥＰ３において、自機器の設置された建物１０２に関する情報の取得が要求されていると判断すると（Ｙｅｓ）、信号判定部９０２において、更に、付属情報管理部９０３で管理されている付属情報の内容が読み出される（ＳＴＥＰ４）。この付属情報管理部９０３では、建物１０２の最大利用可能人数、利用可能時刻、最大収容可能人数などが予め記録されている。そして、不図示であるが、建物１０２に設置される通信機器との通信、又は、建物１０２に所属する作業者の入力操作などの外部からの入力によって、現在の利用者数や収容者数などの情報が、付属情報管理部９０３に与えられる。
【００９６】
これにより、付属情報管理部９０３では、最大利用可能人数や最大収容可能人数から現在の利用者数や収容者数を差し引くことにより、現在の利用可能人数や収容可能人数を求めて記録する。又、付属情報管理部９０３では、時間を計数するタイマを備えることで、現在時刻と利用可能時刻との関係より待ち時間を求めて記録する。これらの利用可能人数や収容可能人数や待ち時間が、付属情報として信号判定部９０２に読み出される。
【００９７】
この付属情報管理部９０３で管理された付属情報の内容が読み出されると、信号判定部９０２において、応答信号の送信の要否が確認される（ＳＴＥＰ５）。このとき、付属情報が建物１０２の利用可能人数や収容可能人数である場合、現在の利用可能人数や収容可能人数が０である場合は、応答信号の送信が不要であるものと判断する。又、現在時刻が建物１０２の利用可能時間帯内にあるか否かが確認され、利用可能時間帯外である場合は、応答信号の送信が不要であるものと判断する。
【００９８】
そして、応答信号の送信が必要であると信号判定部９０２で確認すると（Ｙｅｓ）、自機器が送信する送信期間となったか否かが確認される（ＳＴＥＰ６）。このとき、自機器の送信期間となるまで、ＳＴＥＰ６の確認動作が行われる。その後、自機器の送信期間となったことを確認すると（Ｙｅｓ）、付属情報管理部９０３から読み出した付属情報が信号判定部９０２より返送データ生成部９０５に与えられるとともに、位置情報記録部９０４に記録されている位置情報及び住所情報が返送データ生成部９０５に読み出される。よって、返送データ生成部９０５では、建物１０２の位置情報、住所情報、及び付属情報によって構成される返送データを生成する（ＳＴＥＰ７）。
【００９９】
この返送データ生成部９０５で生成された返送データは、無線ＬＡＮ送信部９０６に与えられる。そして、無線ＬＡＮ送信部９０６において、返送データが符号化された後に変調されることで、携帯型端末装置１００への応答信号が生成され、アンテナ９００を介して送信され（ＳＴＥＰ８）、動作を終了する。このとき、無線ＬＡＮ受信部９０１で受信した情報要求信号のヘッダ情報より、送信先とされる携帯型端末装置１００が確認され、無線ＬＡＮ送信部９０６で生成された応答信号のヘッダ情報には、送信先となる携帯型端末装置１００の情報が追加される。
【０１００】
又、ＳＴＥＰ２において情報要求信号が受信されなかったとき（Ｎｏ）、又は、ＳＴＥＰ３において自機器に対する要求でないことが確認されたとき（Ｎｏ）、又は、ＳＴＥＰ５において応答信号の送信が不要であると判断されたとき（Ｎｏ）、無線ＬＡＮ受信部９０１において、携帯型端末装置１００に割り当てられた送信期間が終了したか否かが確認される（ＳＴＥＰ９）。そして、携帯型端末装置１００に割り当てられた送信期間が終了していない場合は（Ｎｏ）、ＳＴＥＰ２に移行して、情報要求信号の受信が確認される。逆に、携帯型端末装置１００に割り当てられた送信期間が終了した場合は（Ｙｅｓ）、情報要求信号の受信動作及び応答信号の送信動作を終了する。
【０１０１】
このように、携帯型端末装置１００及び固定型無線通信装置１０１それぞれが動作することによって、携帯型端末装置１００は、無線ＬＡＮにより通信可能な範囲に存在する固定型無線通信装置１０１と通信を行い、この通信可能な固定型無線通信装置１０１が載置された建物１０２の情報を取得することができる。又、このとき、特定した施設の種類に応じた建物１０２における固定型無線通信装置１０１が応答信号を送信することで、通信量を減らすとともに、必要な情報を速く携帯型端末装置１００で処理して表示することができる。
【０１０２】
更に、固定型無線通信装置１０１では、利用不可能なときは通信を行わないようにすることで、携帯型端末装置１００で不要となる情報の送信を停止し、その通信量を減ずることができる。このとき、利用不可能である建物１０２に載置された固定型無線通信装置１０１であっても、付属情報を除いた位置情報及び住所情報のみからなる応答信号を送信するものとしても構わない。即ち、図１０のフローチャートのＳＴＥＰ５において、付属情報の内容を確認して建物１０２が利用可能か否かで応答信号の送信の要否を確認するのではなく、建物１０２が利用可能か否かで、応答信号に付属情報を追加するか否かを決定する。
【０１０３】
このようにすることで、携帯型端末装置１００において、図５のような現在位置を示すための地図画像を表示する際に、利用不可能である建物１０２をランドマーク（目印）として表示することができる。又、携帯型端末装置１００では、応答信号に付属情報が追加されているか否かにより、利用可能か否かを確認することができ、表示部２０３にその旨を表示することができる。
【０１０４】
尚、本実施形態において、携帯型端末装置１００では、情報要求信号を送信した後に受信した応答信号により取得される各情報を記録するものとし、画像切換が行われるときに、記録された各情報が利用されるものとしたが、画像切換を行う度に、又は、所定時間毎に情報要求信号を送信するものとしても構わない。このようにすることで、新しい情報を表示することができるとともに、記録する情報量を少なく抑えることができるため、情報を記録するためのメモリ容量を小さくすることができる。
【０１０５】
又、応答信号により取得される各情報を記録するとき、座標情報及び住所情報のみを記録したままとし、携帯型端末装置１００の通信範囲にない地図を表示した場合にでも、建物１０２が地図上に表示されるものとしても構わない。これにより、現在位置以外の建物に関する住所及び位置を確認することができる。
【０１０６】
更に、本実施形態において、建物１０２の位置情報と住所情報とを取得するものとしたが、位置情報及び住所情報のいずれか一方のみが取得されるものとしても構わない。このとき、位置情報のみが取得される場合、携帯型端末装置１００の現在位置を示す位置情報から現在位置の住所を獲得するときと同様、地図情報記録部２１３における地図情報を参照することで、建物１０２の住所が獲得される。
【０１０７】
又、住所情報のみが取得される場合、携帯型端末装置１００では、住所情報より得られる住所に対応する地図上の座標位置を、地図情報記録部２１３における地図情報を参照して獲得することができる。更に、住所情報を郵便番号と番地とによって構成するものとし、携帯型端末装置１００において、郵便番号の市町村までを確認して住所情報を生成するものとしても構わない。又、携帯型端末装置１００で現在位置となる位置情報の取得をＧＰＳシステムによるものとしたが、例えば、ＰＨＳなどのように通信を行うアクセスポイントによって確認されるものであっても構わない。
【産業上の利用可能性】
【０１０８】
本発明によると、無線ＬＡＮ環境を含む無線通信システムや移動通信システムにおいて、現在位置の周辺情報を取得するための無線通信システムに適用可能である。
【図面の簡単な説明】
【０１０９】
【図１】は、本発明の実施形態における無線通信システムの構成を示すブロック図である。
【図２】は、図１の無線通信システムにおける携帯型端末装置の内部構成を示すブロック図である。
【図３】は、図２の携帯型端末装置の表示部におけるメニュー画像の表示例を示す図である。
【図４】は、図２の携帯型端末装置の表示部におけるメニュー画像の表示例を示す図である。
【図５】は、図２の携帯型端末装置の表示部における地図画像の表示例を示す図である。
【図６】は、図２の携帯型端末装置の表示部における地図画像の表示例を示す図である。
【図７】は、図２の携帯型端末装置の表示部におけるテキスト画像の表示例を示す図である。
【図８】は、図２の携帯型端末装置の表示部における地図画像の表示例を示す図である。
【図９】は、図１の無線通信システムにおける無線通信装置の内部構成を示すブロック図である。
【図１０】は、図９の無線通信装置における携帯型端末装置との通信動作を示すフローチャートである。
【０１１０】
１００    携帯型端末装置
１０１，１０１ａ〜１０１ｄ    無線通信装置
１０２ａ〜１０２ｄ    建物
１０３    人工衛星
２００    アンテナ（無線ＬＡＮ用）
２０１    アンテナ（ＧＰＳ用）
２０２    データ入力部
２０３    表示部
２０４    入力データ処理部
２０５    無線ＬＡＮ送信部
２０６    無線ＬＡＮ受信部
２０７    情報処理部
２０８    位置情報処理部
２０９    付属情報処理部
２１０    住所情報処理部
２１１    付属情報加工部
２１２    判定基準記録部
２１３    地図情報記録部
２１４    ＧＰＳ受信部
２１５    現在位置検出部
２１６    地図作成部
２１７    距離判定部
２１８    表示制御部
９００    アンテナ
９０１    無線ＬＡＮ受信部
９０２    信号判定部
９０３    付属情報管理部
９０４    位置情報記録部
９０５    返送データ生成部
９０６    無線ＬＡＮ送信部
【図１】
2007243517.tif 000003
【図２】
2007243517.tif 000004
【図３】
2007243517.tif 000005
【図４】
2007243517.tif 000006
【図５】
2007243517.tif 000007
【図６】
2007243517.tif 000008
【図７】
2007243517.tif 000009
【図８】
2007243517.tif 000010
【図９】
2007243517.tif 000011
【図１０】
2007243517.tif 000012